(57)【要約】【課題】着用者の肌に近い位置での液残りや液戻りが発生し難く、着用感に優れる吸収性物品を提供すること。【解決手段】肌側コアラップシート４１は、肌対向面４１ａを形成する肌側層４２と非肌対向面４１ｂを形成する非肌側層４３との積層構造を含んで構成されている。肌側層４２は熱可塑性繊維４４を主体とし、非肌側層４３は非熱可塑性の親水性繊維４５を主体としている。前記積層構造に、厚み方向に圧密化された圧密部４６が複数点在しており、その複数の圧密部４６の少なくとも一部における肌対向面４１ａ側に、親水性繊維４５が露出している。【選択図】図３
2019042399.tif 000002
【特許請求の範囲】
【請求項１】
着用者の腹側から股間部を介して背側に延びる方向に相当する縦方向とこれに直交する横方向とを有すると共に、該股間部に配される股下部並びにその前後に延在する腹側部及び背側部を有し、液保持性の吸収性コアと、該吸収性コアの肌対向面を被覆する肌側コアラップシートとを具備する吸収性物品であって、
前記肌側コアラップシートは、肌対向面を形成する肌側層と非肌対向面を形成する非肌側層との積層構造を含んで構成され、該肌側層は熱可塑性繊維を主体とし、該非肌側層は非熱可塑性の親水性繊維を主体としており、
前記積層構造に、厚み方向に圧密化された圧密部が複数点在しており、その複数の圧密部の少なくとも一部における肌対向面側に、前記親水性繊維が露出している吸収性物品。
【請求項２】
前記肌側コアラップシートにおける前記圧密部以外の部分において、前記肌側層は前記非肌側層に比して親水度が低い請求項１に記載の吸収性物品。
【請求項３】
前記積層構造に存在する複数の前記圧密部のうち、肌対向面側に前記親水性繊維が露出している圧密部が占める割合が、５０％以上である請求項１又は２に記載の吸収性物品。
【請求項４】
複数の前記圧密部が縦方向及び横方向の双方に所定の間隔を置いて配されており、縦方向における該間隔が、横方向における該間隔に比して短い請求項１〜３の何れか１項に記載の吸収性物品。
【請求項５】
前記圧密部が縦方向に延在しているか、又は前記肌側コアラップシートにおける２個以上の前記圧密部によって挟まれた非圧密部が縦方向に延在している請求項１〜４の何れか１項に記載の吸収性物品。
【請求項６】
前記股下部は、前記腹側部及び前記背側部に比して前記圧密部の総面積が大きい請求項１〜５の何れか１項に記載の吸収性物品。
【発明の詳細な説明】
【技術分野】
【０００１】
本発明は、吸収性コア及びこれを被覆するコアラップシートを備えた吸収性物品に関する。
【背景技術】
【０００２】
使い捨ておむつなどの吸収性物品として、肌対向面を形成する液透過性の表面シート、非肌対向面を形成する液不透過性の裏面シート及びこれら両シート間に配置された吸収体を具備し、該吸収体が、木材パルプや吸水性ポリマー等の吸収性材料を含む吸収性コアと、該吸収性コアの外面を被覆するコアラップシートとからなるものが知られている。コアラップシートは、吸収体の製造時には吸収性材料を受けるためのシートとして働き、製造後には吸収性コアを包んで形状化する役割等を果たす。コアラップシートとしては、従来、薄葉紙、吸収紙、不織布等の透水性シートが用いられている。
【０００３】
コアラップシートに関し、特許文献１には、吸収性コアの肌対向面を被覆する肌側コアラップシートを、液透過速度が互いに異なる第１層及び第２層からなる２層構造とすることが記載され、そうすることによって液透過性及び液拡散性が向上するとされている。特許文献１には、第１層及び第２層の組み合わせ例として、一方が非熱可塑性の親水性繊維からなる紙、他方が熱可塑性繊維からなる不織布の組み合わせが記載されているが、該紙の構成繊維（パルプ繊維）の肌側コアラップシートにおける分布状態などについては特に記載されていない。
【０００４】
特許文献２には、コアラップシートとしてではなく、吸収性コアとして使用可能な吸収性シートとして、二層構造のものが記載されている。この二層構造の吸収性シートは、肌側層４２超える不織布からなる。特許文献２記載の吸収性シートによれば、表面の濡れ性が少ない上、吸収された水分によって形作られる輪郭が外部から視認されにくいとされている。
【先行技術文献】
【特許文献】
【０００５】
【特許文献１】特開２０１３−１８０１７１号公報
【特許文献２】特開２００５−６７１９０号公報
【発明の概要】
【発明が解決しようとする課題】
【０００６】
一般に吸収性コアは、吸収性物品の着用者の前後方向（縦方向）に長い形状をなしているのに対し、尿や便などの排泄物が排泄される着用者の排泄部（ペニス、膣口、肛門など）は吸収性コアの縦方向中央部に位置するため、排泄物の吸収に実質的に寄与する部位は、吸収性コアの縦方向中央部及びその近傍に限られ、吸収性コアの他の部位が有効活用されにくいという課題がある。この点、吸収性コアの肌対向面を被覆する肌側コアラップシートが、面方向への液拡散性に優れるものであれば、排泄物を面方向に速やかに拡散させつつ吸収性コアへ移行させることが可能となるため、斯かる課題の解決に繋がる。しかし、この肌側コアラップシートによる面方向への液拡散が着用者の肌に比較的近い肌対向面側で行われると、いわゆる液残りに近い状態となり、肌の周辺が高湿度となって肌トラブルに繋がるおそれがある。また、従来のコアラップシートは、吸収性コアに一旦吸収された体液が着用者の肌側に移行する、いわゆる液戻りの防止の点についても改善の余地があった。
【０００７】
従って本発明の課題は、着用者の肌に近い位置での液残りや液戻りが発生し難く、着用感に優れる吸収性物品を提供することに関する。
【課題を解決するための手段】
【０００８】
本発明は、着用者の腹側から股間部を介して背側に延びる方向に相当する縦方向とこれに直交する横方向とを有すると共に、該股間部に配される股下部並びにその前後に延在する腹側部及び背側部を有し、液保持性の吸収性コアと、該吸収性コアの肌対向面を被覆する肌側コアラップシートとを具備する吸収性物品であって、前記肌側コアラップシートは、肌対向面を形成する肌側層と非肌対向面を形成する非肌側層との積層構造を含んで構成され、該肌側層は熱可塑性繊維を主体とし、該非肌側層は非熱可塑性の親水性繊維を主体としており、前記積層構造に、厚み方向に圧密化された圧密部が複数点在しており、その複数の圧密部の少なくとも一部における肌対向面側に、前記親水性繊維が露出している吸収性物品である。
【発明の効果】
【０００９】
本発明によれば、着用者の肌に近い位置での液残りや液戻りが発生し難く、着用感に優れる吸収性物品が提供される。
【図面の簡単な説明】
【００１０】
【図１】図１は、本発明の吸収性物品の一実施形態である展開型使い捨ておむつの肌対向面即ち表面シート側を模式的に示す平面図であり、各部の弾性部材を伸張させて平面状に拡げた展開状態における平面図である。
【図２】図２は、図１のＩ−Ｉ線断面を模式的に示す横断面図である。
【図３】図３は、本発明に係る肌側コアラップシートの厚み方向に沿う断面を模式的に示す断面図である。
【図４】図４（ａ）〜図４（ｄ）は、それぞれ、本発明に係る肌側コアラップシートにおける圧密部のパターンを模式的に示す平面図である。
【図５】図５（ａ）〜図５（ｄ）は、それぞれ、本発明に係る肌側コアラップシートにおける圧密部の他のパターンを模式的に示す平面図である。
【図６】図６（ａ）及び図６（ｂ）は、それぞれ、本発明に係る肌側コアラップシートにおける圧密部のさらに他のパターンを模式的に示す平面図である。
【発明を実施するための形態】
【００１１】
以下、本発明の吸収性物品を、その好ましい一実施形態である展開型使い捨ておむつの一例に基づき図面を参照して説明する。図１及び図２には、本実施形態の展開型使い捨ておむつ１が示されている。おむつ１は、着用者の腹側から股間部を介して背側に延びる方向に相当する縦方向Ｘとこれに直交する横方向Ｙとを有すると共に、該股間部に配される股下部１Ｍ並びにその前後に延在する腹側部１Ｆ及び背側部１Ｒを有する。腹側部１Ｆ、股下部１Ｍ及び背側部１Ｒは、おむつ１を縦方向Ｘに三等分した場合の各領域に相当する。股下部１Ｍは、おむつ１の着用時に着用者のペニス、肛門等の排泄部に対向配置される排泄部対向部を有しており、該排泄部対向部は通常、おむつ１の縦方向Ｘの中央部又はその近傍に位置している。
【００１２】
おむつ１は、図１及び図２に示すように、吸収性コア４０を有する吸収体４と、吸収体４の肌対向面側に配され、吸収体４よりも着用者の肌に近くに位置して着用時に着用者の肌と接触し得る液透過性の表面シート２と、吸収体４の非肌対向面側に配され、吸収体４よりも着用者の肌から遠くに位置する液不透過性ないし撥水性の裏面シート３とを具備し、図１に示す如き平面視において、股下部１Ｍに位置する縦方向Ｘの中央部が内方に括れ且つ一方向即ち縦方向Ｘに長い、縦長の砂時計状をなしている。表面シート２及び裏面シート３は、それぞれ、両シート２，３間に介在配置された吸収体４よりも大きな寸法を有
し、図１に示す如き展開且つ伸張状態のおむつ１の外形を形成している。
【００１３】
尚、本明細書において、「肌対向面」は、吸収性物品又はその構成部材（例えば吸収性コア４０）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味する。
【００１４】
腹側部１Ｆ及び背側部１Ｒそれぞれのウエスト部、即ち縦方向Ｘの端部における表面シート２と裏面シート３との間には、帯状の弾性部材１１が、おむつ１の横方向Ｙの略全長にわたって横方向Ｙに伸長状態で固定されており、これにより、おむつ１の着用時における該ウエスト部には、弾性部材１１の収縮によりウエストギャザーが形成される。また、背側部１Ｒにおける着用者の胴周りに対応する胴周り部における表面シート２と裏面シート３との間には、糸状の弾性部材１２が横方向Ｙに伸長状態で複数固定されており、これにより、おむつ１の着用時における該胴周り部には、弾性部材１２の収縮により胴周りギャザーが形成される。また、おむつ１の表面シート２側即ち肌対向面側における縦方向Ｘに沿う左右両側には、それぞれサイドシート５が配されている。サイドシート５は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し、図２に示すように、裏面シート３と接合されている。着用者の脚周りに配される左右のレッグ部におけるサイドシート５と裏面シート３との間には、糸状の弾性部材１３が縦方向Ｘに沿って伸長状態で固定されており、これにより、おむつ１の着用時における該レッグ部には、弾性部材１３の収縮により一対のレッグギャザーが形成される。また、サイドシート５の内側縁部には、糸状の弾性部材１４が縦方向Ｘに沿って伸長状態で固定されていると共に、該内側縁部は、少なくとも股下部１Ｍ、具体的には例えば、股下部１Ｍ並びに腹側部１Ｆ及び背側部１Ｒにおける股下部１Ｍ寄りの部分においては、表面シート２をはじめとするおむつ１の他の構成部材と非接合の自由端部とされ、腹側部１Ｆ及び背側部１Ｒにおける縦方向Ｘの前後端部においては、表面シート２に接合されている（図示せず）。斯かるサイドシート５の構成により、おむつ１の着用時には縦方向Ｘに弾性部材１４の収縮力が働き、サイドシート５は、少なくとも内側縁部が自由端部とされている領域である股下部１Ｍにおいて、裏面シート３との接合部を起点として着用者の肌に向かって起立し、左右一対の防漏カフが形成される。表面シート２、裏面シート３、吸収体４、サイドシート５及び各弾性部材１１〜１４は、ホットメルト接着剤等の公知の接合手段により互いに接合されている。
【００１５】
図１に示すように、おむつ１の背側部１Ｒの縦方向Ｘに沿う両側縁部には、一対のファスニングテープ６，６が設けられている。ファスニングテープ６には、機械的面ファスナーのオス部材からなる止着部６１が取り付けられている。また、おむつ１の腹側部１Ｆの非肌対向面には、機械的面ファスナーのメス部材からなる被止着領域７が形成されている。被止着領域７は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ６の止着部６１を着脱自在に止着可能になされている。
【００１６】
表面シート２としては、使い捨ておむつ等の吸収性物品に従来使用されている各種のものを特に制限なく用いることができ、尿や便などの体液を透過し得る液透過性シートであることを前提として、合成繊維又は天然繊維からなる織布や不織布、多孔性シート等を用いることができる。表面シート２の一例として、コットン等の天然繊維を材料とする不織
布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアスルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
裏面シート３としては、使い捨ておむつ等の吸収性物品に従来使用されている各種のものを特に制限なく用いることができ、液不透過性（撥水性を含む）で、且つ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔を設けた多孔質フィルムは、裏面シート３として好適に使用できる。
サイドシート５としては、裏面シート３として使用可能なものを用いることができる。
【００１７】
吸収体４は、液保持性の吸収性コア４０と、吸収性コア４０の肌対向面を被覆する肌側コアラップシート４１と、吸収性コア４０の非肌対向面を被覆する非肌側コアラップシート４９とを含んで構成されている。吸収性コア４０と肌側コアラップシート４１，非肌側コアラップシート４９との間は、ホットメルト接着剤等の公知の接合手段により接合されている。吸収体４（吸収性コア４０）は、図１に示す如き平面視において、股下部１Ｍに位置する縦方向Ｘの中央部が内方に括れた砂時計状で且つ縦方向Ｘに長い縦長の形状を有している。
【００１８】
吸収性コア４０は吸収性材料を主体として構成され、吸収性コア４０における吸収性材料の含有量は通常ほぼ１００質量％である。吸収性材料としては、使い捨ておむつ等の吸収性物品に従来使用されている各種のものを特に制限なく用いることができ、例えば、木材パルプ、親水化剤により処理された合繊繊維等の親水性繊維や吸水性ポリマー粒子が挙げられる。吸収性コア４０の構成として、親水性繊維の積繊体、あるいは該積繊体に吸水性ポリマー粒子を担持させた構成、あるいは吸水性ポリマー粒子のみからなる構成を例示できる。
【００１９】
本実施形態においては、非肌側コアラップシート４９は、図２に示すように、肌側コアラップシート４１よりも横方向Ｙの長さが長い。非肌側コアラップシート４９は、吸収性コア４０の非肌対向面の全域を被覆し、且つ吸収性コア４０の縦方向Ｘに沿う両側縁から横方向Ｙの外方に延出し、その延出部が、吸収性コア４０の肌対向面に当接する肌側コアラップシート４１の肌対向面に巻き上げられている。非肌側コアラップシート４９は、その組成に関して、肌側コアラップシート４１と同じでも異なっていても良く、紙、不織布など、使い捨ておむつ等の吸収性物品に従来使用されている各種のものを特に制限なく用いることができる。非肌側コアラップシート４９を構成する不織布の例示として、親水化処理が施された繊維からなる親水性不織布が挙げられる。不織布製のコアラップシートは、紙製のものに比べて強度が高くて加工時に破れにくく、また、吸収性コア４０を構成する吸収性材料として吸水性ポリマー粒子が使用されている場合には、吸水性ポリマー粒子の膨潤による吸収性コア４０の変形に柔軟に対応し得るという特長を有する。
【００２０】
図３には、おむつ１の主たる特徴部分の１つである肌側コアラップシート４１の厚み方向に沿う断面が示されている。肌側コアラップシート４１は、図３に示すように、該シート４１の肌対向面４１ａを形成し、着用者の肌から相対的に近い肌側層４２と、該シート４１の非肌対向面４１ｂを形成し、着用者の肌から相対的に遠い非肌側層４３との積層構造（２層構造）を含んで構成されている。肌側層４２は表面シート２に対向配置され、非肌側層４３は吸収性コア４０に対向配置されている。肌側層４２と非肌側層４３とは、少なくとも後述する圧密部４６を介して一体とされており、その製法によってはさらに、両層４２，４３の構成繊維どうしの絡み合い、接着剤などの接合手段などの他の一体化手段
によっても一体とされ得る。
【００２１】
肌側層４２及び非肌側層４３は何れも繊維集合体である。斯かる繊維集合体の形態は特に制限されず、例えば不織布、織布、紙が挙げられる。典型的な形態は、肌側層４２が不織布、非肌側層４３が紙である。
【００２２】
肌側層４２を構成する不織布としては、各種製法によるものを特に制限なく用いることができ、例えば、エアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。これらの不織布の中でも、スパンボンド不織布及びメルトブローン不織布は、エアスルー不織布などに比して、吸収性コア４０に含まれる吸水性ポリマー粒子などの吸収性材料の漏れ出しを防止する効果に優れるため好ましい。
【００２３】
肌側層４２は熱可塑性繊維４４を主体とし、非肌側層４３は非熱可塑性の親水性繊維４５を主体としている。肌側層４２は、熱可塑性繊維４４を少なくとも８０質量％以上含有し、熱可塑性繊維４４の含有量は肌側層４２の全質量に対して１００質量％でも良い。また、非肌側層４３は、親水性繊維４５を少なくとも８０質量％以上含有し、親水性繊維４５の含有量は非肌側層４３の全質量に対して１００質量％でも良い。尚、図３では理解を容易にする観点から、熱可塑性繊維４４を相対的に太い線で、親水性繊維４５を相対的に細い線で表示しているが、実際の繊維の太さとは無関係である。
【００２４】
熱可塑性繊維４４の素材である熱可塑性樹脂としては、不織布などの構成繊維に通常用いられているものを特に制限なく用いることができ、例えば、ポリエチレン、ポリプロピレン、ポリブテン−１、ポリペンテン−１、及びこれらのランダム又はブロック共重合体等のポリオレフィン；ポリエチレンテレフテレート、ポリブチレンテレフタレート等のポリエステル；ナイロン−６、ナイロン−６６等のポリアミドが挙げられる。熱可塑性繊維４４は、単一の熱可塑性樹脂を用いて形成された単一繊維でもよく、２種以上の熱可塑性樹脂を用いて形成された複合繊維でもよい。複合繊維としては、例えば、芯鞘型繊維、サイドバイサイド型繊維、分割型繊維、交互配列型繊維、海島型繊維が挙げられる。肌側層４２には、２種類以上の熱可塑性繊維４４が含有されていてもよい。これらの中でも特に、ポリエチレン、ポリプロピレンは、安価で且つ比較的低融点のため後述する圧密部４６の形成が容易であることから、熱可塑性繊維４４として好ましく用いられる。
【００２５】
親水性繊維４５は、非熱可塑性且つ親水性の繊維であり、熱可塑性繊維４４が疎水性であるのとは対照的である。本発明において、繊維の親水度は、下記方法で測定される水との接触角に基づき判断され、該接触角が９０度未満であれば親水性、９０度以上の場合であれば疎水性である。下記方法で測定される水との接触角が小さいほど親水性が高く（疎水性が低く）、該接触角が大きいほど親水性が低い（疎水性が高い）。肌側コアラップシート４１において、肌側層４２の主体をなす疎水性の熱可塑性繊維４４の水との接触角は９０度以上であり、非肌側層４３の主体をなす親水性繊維４５の水との接触角は９０度未満である。
【００２６】
＜接触角の測定方法＞
測定対象（肌側コアラップシート）から繊維を取り出し、その繊維に対する水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。滴下の様子を水平に設置されたカメラに接続された高速度録画装置に録画する。録画装置は後に画像解
析をする観点から、高速度キャプチャー装置が組み込まれたパーソナルコンピュータが望ましい。本測定では、１７ｍｓｅｃ毎に画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。測定対象物から取り出した繊維は、繊維長１ｍｍに裁断し、該繊維を接触角計のサンプル台に載せて、水平に維持する。繊維１本につき異なる２箇所の接触角を測定する。Ｎ＝５本の接触角を小数点以下１桁まで計測し、合計１０箇所の測定値を平均した値（小数点以下第２桁で四捨五入）を、当該繊維の水との接触角と定義する。測定環境は、室温２２±２℃、湿度６５±２％ＲＨとする。
【００２７】
尚、吸収性物品からその構成部材（例えば肌側コアラップシート）を取り出して評価測定する場合において、その構成部材が、接着剤、融着などによって他の構成部材に固定されている場合には、その固定部分を、溶剤の塗布、ドライヤーによる熱風吹き付け、コールドスプレー（例えばニチバン株式会社製の市販品）の吹き付けなどによって除去してから取り出す。
【００２８】
親水性繊維４５としては、熱可塑性を有しないことを前提として、吸収性物品に従来使用されている各種の親水性繊維を特に制限なく用いることができ、典型的なものはセルロース繊維である。セルロース繊維としては、例えば、針葉樹クラフトパルプ、広葉樹クラフトパルプ等の木材パルプやコットンパルプ、ワラパルプ等の非木材パルプ等の天然セルロース繊維；レーヨン、キュプラ等の再生セルロース繊維が挙げられ、これらの１種を単独で又は２種以上を混合して用いることができる。これらの中でも特に、木材パルプが好ましい。その理由は、木材パルプは繊維長が再生セルロース繊維や非木材パルプに比べて短いため、木材パルプを親水性繊維４５として用いた場合には、その木材パルプからなる親水性繊維４５が、肌側層４２を構成する熱可塑性繊維４４の隙間を通り抜けやすく、そのため後述する、「肌側コアラップシート４１の圧密部４６の肌対向面４１ａ側に親水性繊維４５が露出している状態」が得られやすいためである。
【００２９】
肌側コアラップシート４１において、肌側層４２と非肌側層４３との積層構造には、図３に示すように、該積層構造（シート４１）の厚み方向に圧密化された圧密部４６が形成されている。圧密部４６は、例えば図４及び図５に示す如き所定のパターンで、肌側コアラップシート４１に複数点在している。図４及び図５は何れも、吸収体４の肌対向面即ち肌側コアラップシート４１側を模式的に示す平面図であり、圧密部４６のパターンの例示である。
【００３０】
圧密部４６は、肌側コアラップシート４１において厚み方向に圧密化された部分であるところ、この圧密化は、典型的には、熱、超音波などの、熱可塑性繊維４４の溶融を促進させる溶融促進手段を伴うエンボス加工（圧搾）によって実施される。肌側コアラップシート４１に対して斯かる溶融促進手段を伴う圧搾を行う場合、肌側層４２及び非肌側層４３のどちら側から行ってもよく、両層４２，４３に対して該圧搾を行ってもよいが、熱可塑性繊維４４の溶融促進の観点から、肌側層４２に対して該圧搾を施すことが好ましい。圧密部４６は、肌側コアラップシート４１における圧密部４６以外の部分（非圧密部）に比して、繊維間空隙が狭いか又は繊維間空隙が実質的に存在していない高密度部であり、該非圧密部は、圧密部４６に比して繊維間空隙が広い低密度部である。
【００３１】
おむつ１の主たる特徴の１つとして、肌側コアラップシート４１（肌側層４２と非肌側層４３との積層構造）に点在する複数の圧密部４６の少なくとも一部における肌対向面４１ａ側に、親水性繊維４５が露出している点が挙げられる。即ち図３に示すように、肌側
コアラップシート４１の圧密部４６において、非肌側層４３の主体をなす親水性繊維４５の一部が、肌側層４２に入り込んで圧密部４６の肌対向面４１ａ側に露出していることによって、おむつ１は特徴付けられている。肌側コアラップシート４１において、圧密部４６の肌対向面４１ａ側に親水性繊維４５が露出しているか否かの確認は、該シート４１の厚み方向に沿う断面の顕微鏡観察によって行うことができ、具体的には下記方法によって行うことができる。
【００３２】
＜圧密部の肌対向面側に非肌対向面側の繊維が露出していることの確認方法＞
０．５質量％の青色水溶液（ダイワ化成製造の愛染食用色素の食用青色１号）に評価対象のシート（肌側コアラップシート４１）を浸し、３分静置後に該水溶液から該シートを取り出し、取り出したシートの肌対向面側を下に向けて、予め敷いておいた紙（キムタオル、日本製紙クレシア株式会社製）の上に載せ、該シートの上方から３ｋＰａの荷重を１分間かけて脱水する。この操作により該評価対象シートの構成繊維のうち親水性繊維は染色される。こうして得られた染色済みのシートの評価対象の圧密部４６をおむつ１の横方向Ｙに沿ってフェザー社製片刃剃刀を用いて切断し、その切断面をマイクロスコープ（ＫＥＹＥＮＣＥ社製ＶＨＸ−１０００）を用いて２００〜５００倍の倍率で観察し、該圧密部４６の肌対向面側４１ａ側に、非肌側層４３の主体をなす非熱可塑性の親水性繊維４５が露出しているか否かを確認する。圧密部４６において、親水性繊維４５は染色されているため圧密部４６の肌対向面側４１ａ側に露出しているか否かの判別は容易である。
【００３３】
前述したように圧密部４６は、典型的には熱、超音波などを伴うエンボス加工によって形成されるところ、斯かるエンボス加工によって形成された圧密部４６の肌側層４２においては、その主体をなす熱可塑性繊維４４がエンボス加工時の熱や超音波によって軟化・溶融するため、本来の繊維集合体の形態が失われており、フィルム化している。図３に示すように、この圧密部４６のフィルム化した（繊維形態が失われた）肌側層４２（図３中、グレーに着色された部分）に、非肌側層４３の主体をなす親水性繊維４５の一部が入り込んで肌対向面４１ａ側に露出している。つまり、圧密部４６の肌対向面４１ａ側の平面視において、フィルム化した肌側層４２の中に、親水性繊維４５の露出部が１個以上存在している。そして、この露出部をなしている親水性繊維４５は、肌側コアラップシート４１の肌対向面４１ａ側から非肌対向面４１ｂ側にわたって連続している。
【００３４】
おむつ１は、圧密部４６を有する肌側コアラップシート４１の斯かる特徴的な構成により、着用者の肌に近い位置での液残りや液戻りが発生し難く、着用感に優れる。即ち、肌側コアラップシート４１の肌対向面４１ａは、表面シート２を透過してきた尿等の体液と最初に接する部分であるところ、疎水性の熱可塑性繊維４４を主体とする肌側層４２の一部であるため、基本的にはその全域において体液の面方向への拡散性に乏しく、体液の濡れ拡がりが起こりにくい。つまり、肌側コアラップシート４１は着用者の肌に比較的近い肌側層４２の親水度が低いため、おむつ１においては、着用者の肌に比較的近い位置での体液の面方向への拡散が抑制されており、そのため、肌の周辺が高湿度となることに起因する肌トラブルが発生し難く、また、着用者に濡れを感じさせ難く、優れた着用感が得られる。また、肌側コアラップシート４１は、基本的に体液の厚み方向への透過性に乏しく、圧密部４６以外の部分においては、体液が該シート４１を透過して吸収性コア４０に移行することは困難であるが、圧密部４６においては、そのフィルム化している肌対向面４１ａの一部が、非肌対向面４１ｂ側から延在している親水性繊維４５の露出部となっており、この露出部から非肌対向面４１ｂ側に連続する親水性繊維４５が、体液の通液路（通液トリガー）として機能するため、肌対向面４１ａ上で濡れ広がらずに留まっている体液は、圧密部４６（親水性繊維４５の露出部）を通じて、該シート４１内に速やかに取り込まれる。また、肌側コアラップシート４１の非肌側層４３は、親水性繊維４５を主体として構成されており、その親水性繊維４５自身の毛管力で液を吸収でき、圧密部４６であっても高透水性を発現し得るので、圧密部４６の肌側層４２で取り込まれた体液は、これを
透過して非肌側層４３に到達したところで面方向に速やかに拡散されつつ吸収性コア４０側に移行し、吸収性コア４０に吸収保持される。このように、体液が肌側コアラップシート４１によって面方向に拡散されてから吸収性コア４０に移行することで、吸収性コア４０の吸収容量などの吸収性能が一層有効に活用されるようになる。また、着用者の体圧がかかることなどによって吸収性コア４０に吸収保持された体液が表面シート２側に移行する、いわゆる液戻りに対しては、親水度の低い肌側層４２がこれを効果的に阻害するため、おむつ１においては液戻りが発生し難い。
【００３５】
前述した肌側コアラップシート４１による作用効果をより確実に奏させるようにする観点、特に体液の面方向への拡散に関して、着用者の肌に比較的近い位置ではこれを抑制し、着用者の肌から比較的遠い位置ではこれを促進する観点から、該シート４１においては、圧密部４６以外の部分において、肌側層４２は非肌側層４３に比して親水度が低い、換言すれば、非肌側層４３は肌側層４２に比して親水度が高いことが好ましい。ここでいう、シート（層）の親水度は、下記方法で測定される水滴消失率によって評価される。水滴消失率の値が小さいほど親水度が低く、水滴消失率の値が大きいほど親水度が高い。従って、「肌側層４２の水滴消失率＜非肌側層４３の水滴消失率」なる大小関係が成立することが好ましいということになる。
【００３６】
＜水滴消失率の測定方法＞
評価対象のシート（例えば肌側コアラップシート４１又はその肌側層４２若しくは非肌側層４３）を、表面が水平になるように空中に固定し、該シートの上面の任意の２０箇所に、生理食塩水（濃度０．９質量％の食塩水）の水滴（１滴２μｌ）を、マイクロシリンジを用いて滴下する。評価対象のシートの親水度が高ければ、水滴は滴下後速やかに該シートに吸収されて消失し、該シートの親水度が低ければ、吸収されずに該シートの上面に残ったままとなる。水滴の消失の判定は、水滴を滴下してから１０秒後にシートの上面を目視観察することにより行う。また水滴消失率（％）は、２０箇所の測定の内、１０秒以内に水滴が消失した箇所の割合を算出することにより求める。
【００３７】
肌側層４２の圧密部４６以外の部分の水滴消失率と非肌側層４３の圧密部４６以外の部分の水滴消失率との比率は、前者が後者よりも小さいことを前提として、前者／後者として、好ましくは０．５以下、さらに好ましくは０．３以下である。
肌側層４２の圧密部４６以外の部分の水滴消失率は、好ましくは５０％以下、さらに好ましくは３０％以下であり、また、下限は０％である。
非肌側層４３の圧密部４６以外の部分の水滴消失率は、好ましくは５０％以上、さらに好ましくは８０％以上であり、また、上限は１００％である。
水滴数消失率の調整、即ち親水度の調整は、肌側層４２の構成繊維（熱可塑性繊維４４）及び非肌側層４３の構成繊維（親水性繊維４５）の種類、疎水化剤（主として肌側層４２用）や親水化剤（主として非肌側層４３用）の使用などによって実施可能である。
【００３８】
また、前述した肌側コアラップシート４１による作用効果をより確実に奏させるようにする観点から、肌側層４２と非肌側層４３との積層構造に存在する複数の圧密部４６のうち、肌対向面４１ａ側に親水性繊維４５（非肌側層４３の構成繊維）が露出している圧密部（以下、「親水部露出圧密部」ともいう）が占める割合、即ち「（親水部露出圧密部の数／１０）×１００」によって算出される値は、５０％以上が好ましく、８０％以上がさらに好ましい。
尚、ある圧密部が前記親水部露出圧密部であるか否かは、次の方法によって確認する。即ち、評価対象の圧密部について、前記方法により、該圧密部の肌対向面側に非肌対向面側の繊維（親水性繊維）が露出しているか否かを確認し、斯かる繊維の露出が１箇所でも確認できた場合、該圧密部は前記親水部露出圧密部であるとする。
【００３９】
特に、肌側層４２と非肌側層４３との積層構造に存在する複数の圧密部４６から任意に１０個を選択した場合に、その１０個の圧密部４６において前記親水部露出圧密部が占める割合が５０％以上であると、より効果的である。
【００４０】
また、圧密部４６の長手方向長さ（圧密部４６の平面視形状が矩形状の如き異方性形状の場合）又は縦方向Ｘの長さ（圧密部４６の平面視形状が円形状の如き等方性形状の場合）が２ｍｍを超える場合、その圧密部４６の長手方向又は縦方向Ｘにおいて２ｍｍ間隔で少なくとも２箇所以上、非肌対向面側の繊維（親水性繊維４５）が圧密部４６の肌対向面４１ａ側に露出していることが望ましい。
【００４１】
圧密部４６のパターン（平面視形状、配置など）は任意に設定することができ、図４及び図５はその具体例の一部に過ぎない。圧密部４６の平面視形状は、図４（ａ）に示す如き短い線分、図４（ｂ）〜図４（ｄ）に示す如き長楕円形状、図５（ａ）及び図５（ｂ）に示す如き縦方向Ｘに延びる連続直線状、図５（ｃ）及び図５（ｄ）に示す如き格子状でもよい。
【００４２】
図４に示す如くに比較的小さい圧密部４６が多数点在するパターンにおいては、例えば、圧密部４６の平面視形状を円形状、三角形形状、四角形形状、五角形以上の多角形形状、円形状、楕円形状などとし、その配置を千鳥状パターンとすることができる。また、比較的小さい圧密部４６が多数点在するパターンにおいては、圧密部４６の単位面積当たりの数に関して、図４（ａ）及び図４（ｂ）のように、肌側コアラップシート４１の全域において略均一でもよく、あるいは図４（ｃ）のように、縦方向Ｘの一部（股下部１Ｍ）において同方向の他の部位（腹側部１Ｆ、背側部１Ｒ）よりも多くてもよく、あるいは図４（ｄ）のように、横方向Ｙの一部（横方向中央部）において同方向の他の部位（横方向両端部）よりも多くてもよい。
【００４３】
また、図５に示す如くに平面視線状の圧密部４６が存在するパターンにおいては、図５（ａ）のように、縦方向Ｘの一部（股下部１Ｍ）のみに縦方向Ｘに延びる直線状の圧密部４６が存していてもよく、あるいは図５（ｂ）のように、肌側コアラップシート４１の縦方向Ｘの全長にわたって縦方向Ｘに延びる直線状の圧密部４６が存していてもよい。図５（ａ）及び図５（ｂ）の何れにおいても、縦方向Ｘに延びる直線状の圧密部４６が、横方向Ｙに所定間隔を置いて複数間欠配置されている。
【００４４】
但し、吸収性コア４０の利用効率の一層の向上、液戻りの効果的な防止などを考慮すると、尿等の体液はなるべくおむつ１の縦方向Ｘに拡散させることが好ましい。その観点から圧密部４６のパターンとしては、図６に示すように、複数の圧密部４６が縦方向Ｘ及び横方向Ｙの双方に所定の間隔４６Ｘ，４６Ｙを置いて配されており、且つ縦方向Ｘにおける間隔４６Ｘが、横方向Ｙにおける間隔４６Ｙに比して短いものが好ましい。間隔４６Ｘは、縦方向Ｘにおいて隣り合う２個の圧密部４６，４６どうしにおいて、互いに最も近接する部分間の距離であり、間隔４６Ｙは、横方向Ｙにおいて隣り合う２個の圧密部４６，４６どうしにおいて、互いに最も近接する部分間の距離である。圧密部４６どうしの間隔に関して、このような「間隔４６Ｘ＜間隔４６Ｙ」なる大小関係が成立していることにより、肌側コアラップシート４１において体液は、互いに隣り合う圧密部４６，４６どうしがより近接している縦方向Ｘに優先的に拡散されるようになる。
【００４５】
また同様の観点から、１）圧密部４６が縦方向Ｘに延在しているか、又は２）肌側コアラップシート４１における２個以上の圧密部４６によって挟まれた非圧密部（圧密部４６以外の部分）が縦方向Ｘに延在していることが好ましい。肌側コアラップシート４１が前記１）及び２）の両方を具備していればより好ましい。
【００４６】
前記１）に関し、「圧密部４６が縦方向Ｘに延在している」とは、圧密部４６の平面視形状が、線状、矩形形状、楕円形状などの如き一方向に長い形状である場合、その長手方向（長軸方向）とおむつ１の縦方向Ｘとのなす角度が４５度以下の場合を意味する。図４〜図５に示す圧密部４６の８つのパターンのうち、図４（ａ）、図５（ａ）及び図５（ｂ）においては、複数の圧密部４６の全部の平面視形状が縦方向Ｘに平行な直線状をなしており、また、図５（ｃ）及び図５（ｄ）においては、複数の圧密部４６の一部の平面視形状が縦方向Ｘに平行な直線状をなしており、これら８つのパターンは何れも前記１）を満たしている。
【００４７】
前記２）に関し、少なくとも図５（ａ）〜図５（ｄ）の４つのパターンは、縦方向Ｘ及び／又は横方向Ｙに延びる平面視直線状の圧密部４６によって挟まれた部分である、非圧密部４７が、平面視において縦方向Ｘに長い矩形形状をなしており、これら４つのパターンは何れも前記２）を満たしている。また、図４（ａ）〜図４（ｄ）の４つのパターンについても、非圧密部４７が縦方向Ｘに連続していると見ることもできるので、前記２）を満たしているとも言える。
【００４８】
また、尿等の体液の縦方向Ｘへの拡散を促進する観点から、非肌側層４３の主体をなす親水性繊維４５は、縦方向Ｘに配向していることが好ましい。
【００４９】
ところで、圧密部４６の存在によって前述した通り、肌側コアラップシート４１の厚み方向における液透過性及び面方向における液拡散性が適切に制御される結果、該シート４１に高透水性が付与されるものの、圧密部４６自体は繊維がフィルム化された部分を含む比較的硬い部位であるため、圧密部４６が過多となると、該シート４１が硬くなってしまい、おむつ１が備えるべき基本性能の１つである柔軟性が損なわれるおそれがある。そこで、高透水性が特に必要な股下部１Ｍに圧密部４６を重点的に配置することが好ましい。斯かる観点から、股下部１Ｍは、腹側部１Ｆ及び背側部１Ｒに比して圧密部４６の総面積が大きいことが好ましい。図５（ｃ）の圧密部４６のパターンは、斯かる大小関係が成立している具体例である。尚、前述した通り、腹側部１Ｆ、股下部１Ｍ及び背側部１Ｒは、おむつ１を縦方向Ｘに三等分した場合の各領域に相当する。
【００５０】
股下部１Ｍにおける圧密部４６の総面積と、腹側部１Ｆ又は背側部１Ｒにおける圧密部４６の総面積との比率は、前者が後者よりも大きいことが好ましく、前者／後者として、好ましくは１．５以上、さらに好ましくは２以上、そして、好ましくは５以下、さらに好ましくは３以下である。
股下部１Ｍにおける圧密部４６の総面積は、好ましくは７５０ｍｍ２以上、さらに好ましくは１５００ｍｍ２以上、そして、好ましくは６０００ｍｍ２以下、さらに好ましくは３０００ｍｍ２以下である。
腹側部１Ｆにおける圧密部４６の総面積、背側部１Ｒにおける圧密部４６の総面積は、それぞれ、好ましくは５００ｍｍ２以上、さらに好ましくは１０００ｍｍ２以上、そして、好ましくは５０００ｍｍ２以下、さらに好ましくは２３００ｍｍ２以下である。
【００５１】
また、肌側コアラップシート４１における一部の領域と他の領域とで、当該領域に存する圧密部４６の総面積が同じであっても、両者で圧密部４６のパターンが異なれば、体液の拡散性に差が生じ得る。例えば、比較的小さい面積を持つ圧密部が複数互いに近接して配されているパターン（パターンＡ）の方が、それら複数の圧密部の総面積と同じ面積を持つ比較的大きな圧密部が１個だけ配されているパターン（パターンＢ）よりも、非肌側層４３における面方向での液拡散性に優れる。ここで、圧密部の面積ではなく、その輪郭線の長さ即ち圧密部の周長に着目すると、前記パターンＡの方が前記パターンＢに比して、複数の圧密部それぞれの周長の総和が長い。以上を考慮すると、圧密部４６のパターンとしては、前記パターンＡが特に好ましく、即ち、肌側コアラップシート４１の単位領域
に存する圧密部４６の周長の総和がなるべく長くなるようなパターンが好ましい。
【００５２】
前述した肌側コアラップシート４１による作用効果をより確実に奏させるようにする観点から、熱可塑性繊維４４及び親水性繊維４５の太さ、より具体的には繊維径は何れも細い方が好ましい。肌側層４２の主体をなす熱可塑性繊維４４の繊維径が比較的小さいことで、圧密化による該繊維４４の溶融、変形が一層起こりやすく、また、圧密部４６の肌対向面側での親水性繊維４５の露出が一層起こりやすくなり、また、非肌側層４３の主体をなす親水性繊維４５の繊維径が比較的小さいことで、該繊維４５の斯かる露出が一層起こりやすくなる。以上の点から、熱可塑性繊維４４の繊度は、好ましくは０．７ｄｔｅｘ以上、さらに好ましくは１．０ｄｔｅｘ以上、そして、好ましくは４．４ｄｔｅｘ以下、さらに好ましくは２．２ｄｔｅｘ以下である。また、親水性繊維４５の太さ、即ち、親水性繊維４５の長さ方向と直交する方向の断面形状が円形状の場合は直径、楕円・扁平形状の場合はその長軸の長さは、それぞれ、好ましくは５０μｍ以下、さらに好ましくは３０μｍ以下である。
【００５３】
また、圧密部４６の肌対向面４１ａ側での露出部から非肌対向面４１ｂ側への連続性を確保して、導液路としての機能がより確実に果たされるようにする観点から、親水性繊維４５の繊維長は長い方が好ましい。具体的には親水性繊維４５の繊維長は、好ましくは１ｍｍ以上、さらに好ましくは３ｍｍ以上、そして、好ましくは２０ｍｍ以下、さらに好ましくは５ｍｍ以下である。
【００５４】
また、肌側層４２の坪量に関しては、比較的小さいことが好ましい。肌側層４２の坪量が過大となると、圧密部４６における肌側層４２（熱可塑性繊維４４）のフィルム化が過剰に促進される結果、圧密部４６の肌対向面４１ａ側がフィルム化した肌側層４２によって完全に閉塞されてしまい、親水性繊維４５が肌対向面４１ａ側に露出し難くなるおそれがある。以上の点から、肌側層４２の坪量は、好ましくは５ｇ／ｍ２以上、さらに好ましくは１０ｇ／ｍ２以上、そして、好ましくは２０ｇ／ｍ２以下、さらに好ましくは１５ｇ／ｍ２以下である。
【００５５】
肌側コアラップシート４１は、肌側層４２の原反シート（典型的には、熱可塑性繊維４４を主体とする不織布）と、該シートは別体の、非肌側層４３の原反シート（典型的には、親水性繊維４５を主体とする紙）とを重ね合わせ、その両シートの積層体の所定箇所に対して、熱、超音波などの、熱可塑性繊維４４の溶融を促進させる溶融促進手段を伴うエンボス加工（圧搾）を施すことによって製造することができる。このエンボス加工によって、肌側層４２の原反シートにおける熱可塑性繊維４４が溶融、変形してフィルム化されると共に、非肌側層４３の原反シートにおける親水性繊維４５が、そのフィルム化した部分の表面側に露出しやすくなる。斯かる方法によって製造された肌側コアラップシート４１においては、エンボス加工部が施された部分が圧密部４６となり、肌側層４２と非肌側層４３とは圧密部４６を介して接合一体化されている。このように、２枚の原反シートの貼り合わせによって肌側コアラップシート４１を製造する場合、非肌側層４３の坪量は、紙としての形態を維持する観点から、好ましくは１０ｇ／ｍ２以上、さらに好ましくは１３ｇ／ｍ２以上、そして、好ましくは３０ｇ／ｍ２以下、さらに好ましくは２０ｇ／ｍ２以下である。
【００５６】
また、肌側コアラップシート４１は、肌側層４２の原反シートと、親水性繊維４５を含む紙料スラリーと、抄紙網とを用いて、公知の湿式抄紙法によって製造することもできる。具体的には、先ず、抄紙網上に肌側層４２の原反シートを載せる。次に、この抄紙網上の原反シートに親水性繊維４５を含む紙料スラリーを流し込む。流し込まれた紙料スラリー中の水は、原反シート及び抄紙網を順次透過して該抄紙網の下方から流れ落ち、該紙料スラリー中の親水性繊維４５は、原反シートの構成繊維（熱可塑性繊維４４）に絡まって
原反シート中に留まり、これによって該抄紙網上に親水性繊維４５及び熱可塑性繊維４４を含有する２層構造の湿潤シートが形成される。抄紙網を挟んで原反シートとは反対側に吸引手段を配置しておき、該吸引手段で原反シートの脱水を促進しても良い。そして、この湿潤シートを湿式抄紙法で採用されている種々の乾燥手段によって乾燥した後、その乾燥シートの所定箇所に対して、熱、超音波などの、熱可塑性繊維４４の溶融を促進させる溶融促進手段を伴うエンボス加工（圧搾）を施すことによって、目的とする肌側コアラップシート４１が得られる。斯かる方法によって製造された肌側コアラップシート４１においては、エンボス加工部が施された部分が圧密部４６となり、また、肌側層４２と非肌側層４３との一体化は、圧密部４６の他、両繊維４４，４５の絡み合いによってもなされている。
【００５７】
このような湿式抄紙法によって製造された肌側コアラップシート４１においては通常、前記原反シートにおける前記抄紙網との対向面側いわゆるワイヤー面側（前記紙料スラリーの供給側とは反対側）に親水性繊維４５が偏在するので、このワイヤー面側が非肌側層４３となる。肌側コアラップシート４１における親水性繊維４５の分布状態は、前記抄紙網が有する脱水孔の孔径やピッチなどを適宜調整することで調整可能である。特に、親水性繊維４５を含む前記紙料スラリーを原反シートに流し込んだ後に、該原反シートにおける前記フェルト面側に高圧水流を噴射すると、その後のエンボス加工によって形成された圧密部４６において、親水性繊維４５が肌対向面４１ａ側に露出しやすくなるため、好ましい。
【００５８】
以上、本発明をその実施形態に基づいて説明したが、本発明は、前記実施形態に制限されることなく適宜変更が可能である。
例えば、肌側コアラップシート４１の圧密部４６以外の部分において、肌側層４２は疎水性でも親水性でも構わない。肌側層４２の親水度を高める場合は、界面活性剤などの公知の親水化剤を熱可塑性繊維４４に練り込んだり、繊維表面に塗布したりする方法を採用できる。しかしながら前述したように、肌側層４２における体液の面方向への拡散を抑制する観点からは、肌側層４２は非肌側層４３に比して親水度が低いことが好ましく、肌側層４２は疎水性が好ましい。尚、肌側層４２の親水度を高める（肌側層４２を親水性にする）ことは、特に、圧密部４６における液透過性を高める場合に有効である。
【００５９】
また例えば、前記実施形態では、非肌側コアラップシート４９の方が肌側コアラップシート４１よりも横方向Ｙの長さが長いが、これとは逆に、肌側コアラップシート４１の方が非肌側コアラップシート４９よりも横方向Ｙの長さが長くても良く、あるいは両シート４１，４９の横方向Ｙの長さは同じでも良い。
また前記実施形態では、肌側コアラップシート４１とは別体の非肌側コアラップシート４９が採用されていたが、１枚の連続したコアラップシートを採用することもできる。その場合は例えば、吸収性コア４０の横方向Ｙの長さの２倍以上３倍以下の幅を有する１枚の連続したコアラップシートが、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆する構成を採用することができる。この１枚のコアラップシートにおいて、吸収性コア４０の肌対向面を被覆する部分が肌側コアラップシート、吸収性コア４０の非肌対向面を被覆する部分が非肌側コアラップシートである。
【００６０】
また、吸収性や防漏性等の向上の観点から、表面シート２と吸収体４（肌側コアラップシート４１）との間に、サブレイヤーなどとも呼ばれる、紙あるいは各種不織布からなる液透過性シートが介在配置されていても良い。同様の観点から、おむつ１の肌対向面に、表面シート２及び吸収体４が一体的に圧密化されてなる溝が形成されていても良い。
本発明は、前記実施形態の如き展開型の使い捨ておむつに制限されず、人体から排出さ
れる体液（尿、軟便、経血、汗等）の吸収に用いられる物品を広く包含し、パンツ型の使い捨ておむつ、生理用ナプキン、生理用ショーツ等も包含される。
前述した一の実施形態のみが有する部分は、すべて適宜相互に利用できる。前述した本発明の実施形態に関し、更に以下の付記を開示する。
【００６１】
＜１＞
着用者の腹側から股間部を介して背側に延びる方向に相当する縦方向とこれに直交する横方向とを有すると共に、該股間部に配される股下部並びにその前後に延在する腹側部及び背側部を有し、液保持性の吸収性コアと、該吸収性コアの肌対向面を被覆する肌側コアラップシートとを具備する吸収性物品であって、
前記肌側コアラップシートは、肌対向面を形成する肌側層と非肌対向面を形成する非肌側層との積層構造を含んで構成され、該肌側層は熱可塑性繊維を主体とし、該非肌側層は非熱可塑性の親水性繊維を主体としており、
前記積層構造に、厚み方向に圧密化された圧密部が複数点在しており、その複数の圧密部の少なくとも一部における肌対向面側に、前記親水性繊維が露出している吸収性物品。
【００６２】
＜２＞
前記肌側コアラップシートにおける前記圧密部以外の部分において、前記肌側層は前記非肌側層に比して親水度が低い前記＜１＞に記載の吸収性物品。
＜３＞
前記積層構造に存在する複数の前記圧密部のうち、肌対向面側に前記親水性繊維が露出している圧密部が占める割合が、５０％以上であり、好ましくは８０％以上である前記＜１＞又は＜２＞に記載の吸収性物品。
＜４＞
複数の前記圧密部が縦方向及び横方向の双方に所定の間隔を置いて配されており、縦方向における該間隔が、横方向における該間隔に比して短い前記＜１＞〜＜３＞の何れか１項に記載の吸収性物品。
＜５＞
前記圧密部が縦方向に延在しているか、又は前記肌側コアラップシートにおける２個以上の前記圧密部によって挟まれた非圧密部が縦方向に延在している前記＜１＞〜＜４＞の何れか１項に記載の吸収性物品。
＜６＞
前記股下部は、前記腹側部及び前記背側部に比して前記圧密部の総面積が大きい前記＜１＞〜＜５＞の何れか１項に記載の吸収性物品。
【００６３】
＜７＞
前記肌側層における前記熱可塑性繊維の含有量が８０質量％以上、又は１００質量％である前記＜１＞〜＜６＞の何れか１項に記載の吸収性物品。
＜８＞
前記非肌側層における前記親水性繊維の含有量が８０質量％以上、又は１００質量％である前記＜１＞〜＜７＞の何れか１項に記載の吸収性物品。
＜９＞
前記親水性繊維がセルロース繊維である前記＜１＞〜＜８＞の何れか１項に記載の吸収性物品。
＜１０＞
前記親水性繊維が針葉樹クラフトパルプである前記＜１＞〜＜９＞の何れか１項に記載の吸収性物品。
＜１１＞
前記圧密部の肌対向面側に露出している前記親水性繊維が、前記肌側コアラップシートの肌対向面側から非肌対向面側にわたって連続している前記＜１＞〜＜１０＞の何れか１
項に記載の吸収性物品。
＜１２＞
前記肌側層の前記圧密部以外の部分の水滴消失率が０％以上であり、また、好ましくは５０％以下、さらに好ましくは３０％以下である前記＜１＞〜＜１１＞の何れか１項に記載の吸収性物品。
＜１３＞
前記非肌側層の前記圧密部以外の部分の水滴消失率が、好ましくは５０％以上、さらに好ましくは８０％以上であり、また、１００％以下である前記＜１＞〜＜１２＞の何れか１項に記載の吸収性物品。
【００６４】
＜１４＞
前記圧密部の平面視形状が、短い線分、長楕円形状、縦方向に延びる連続直線状又は格子状である前記＜１＞〜＜１３＞の何れか１項に記載の吸収性物品。
＜１５＞
複数の前記圧密部は、平面視形状がそれぞれ、円形状、三角形形状、四角形形状、五角形以上の多角形形状、円形状又は楕円形状であり、且つ千鳥状に配置されている前記＜１＞〜＜１３＞の何れか１項に記載の吸収性物品。
＜１６＞
前記圧密部の単位面積当たりの数は、前記肌側コアラップシートの横方向の一部（横方向中央部）が同方向の他の部位（横方向両端部）よりも多い前記＜１＞〜＜１５＞の何れか１項に記載の吸収性物品。
＜１７＞
複数の前記圧密部は、平面視形状がそれぞれ縦方向に延びる直線状であり、且つ横方向に所定間隔を置いて間欠配置されている前記＜１＞〜＜１３＞の何れか１項に記載の吸収性物品。
【００６５】
＜１８＞
前記股下部における前記圧密部の総面積と、前記腹側部又は前記背側部における前記圧密部の総面積との比率は、前者が後者よりも大きいことが好ましく、前者／後者として、好ましくは１．５以上、さらに好ましくは２以上、そして、好ましくは５以下、さらに好ましくは３以下である前記＜１＞〜＜１７＞の何れか１項に記載の吸収性物品。
＜１９＞
前記股下部における前記圧密部の総面積は、好ましくは７５０ｍｍ２以上、さらに好ましくは１５００ｍｍ２以上、そして、好ましくは６０００ｍｍ２以下、さらに好ましくは３０００ｍｍ２以下である前記＜１＞〜＜１８＞の何れか１項に記載の吸収性物品。
＜２０＞
前記腹側部における前記圧密部の総面積、前記背側部における前記圧密部の総面積は、それぞれ、好ましくは５００ｍｍ２以上、さらに好ましくは１０００ｍｍ２以上、そして、好ましくは５０００ｍｍ２以下、さらに好ましくは２３００ｍｍ２以下である前記＜１＞〜＜１９＞の何れか１項に記載の吸収性物品。
【００６６】
＜２１＞
前記熱可塑性繊維の繊度は、好ましくは０．７ｄｔｅｘ以上、さらに好ましくは１．０ｄｔｅｘ以上、そして、好ましくは４．４ｄｔｅｘ以下、さらに好ましくは２．２ｄｔｅｘ以下である前記＜１＞〜＜２０＞の何れか１項に記載の吸収性物品。
＜２２＞
前記親水性繊維の太さは、該親水性繊維の長さ方向と直交する方向の断面形状が円形状の場合は直径、楕円・扁平形状の場合はその長軸の長さとした場合に、それぞれ、好ましくは５０μｍ以下、さらに好ましくは３０μｍ以下である前記＜１＞〜＜２１＞の何れか１項に記載の吸収性物品。
＜２３＞
前記親水性繊維の繊維長は、好ましくは１ｍｍ以上、さらに好ましくは３ｍｍ以上、そして、好ましくは２０ｍｍ以下、さらに好ましくは５ｍｍ以下である前記＜１＞〜＜２２＞の何れか１項に記載の吸収性物品。
＜２４＞
前記肌側層の坪量は、好ましくは５ｇ／ｍ２以上、さらに好ましくは１０ｇ／ｍ２以上、そして、好ましくは２０ｇ／ｍ２以下、さらに好ましくは１５ｇ／ｍ２以下である前記＜１＞〜＜２３＞の何れか１項に記載の吸収性物品。
＜２５＞
前記肌側コアラップシートは、前記肌側層用原反シート（好ましくは不織布）と前記非肌側層用原反シート（好ましくは紙）とが貼り合わされて構成されており、
前記非肌側層の坪量が、好ましくは１０ｇ／ｍ２以上、さらに好ましくは１３ｇ／ｍ２以上、そして、好ましくは３０ｇ／ｍ２以下、さらに好ましくは２０ｇ／ｍ２以下である前記＜１＞〜＜２４＞の何れか１項に記載の吸収性物品。
＜２６＞
さらに、前記吸収性コアの非肌対向面を被覆する非肌側コアラップシートを具備し、該非肌側コアラップシートは、前記肌側コアラップシートと組成が同じである前記＜１＞〜＜２５＞の何れか１項に記載の吸収性物品。
【符号の説明】
【００６７】
１  展開型使い捨ておむつ（吸収性物品）
２  表面シート
３  裏面シート
４  吸収体
４０  吸収性コア
４１  肌側コアラップシート
４１ａ  肌側コアラップシートの肌対向面
４１ｂ  肌側コアラップシートの非肌対向面
４２  肌側層
４３  非肌側層
４４  熱可塑性繊維
４５  非熱可塑性の親水性繊維
４６  圧密部
４７  非圧密部
４９  非肌側コアラップシート
１Ｆ  腹側部
１Ｍ  股下部
１Ｒ  背側部
Ｘ  縦方向
Ｙ  横方向
【図１】
2019042399.tif 000003
【図２】
2019042399.tif 000004
【図３】
2019042399.tif 000005
【図４】
2019042399.tif 000006
【図５】
2019042399.tif 000007
【図６】
2019042399.tif 000008